(57)【要約】  本発明は車両用の画像によるユーザインタフェースに関する。このインタフェースは、いくつかのメニューレベルを含むメニュー構造において項目を選択及び／又はアクティブ化するためのいくつかの調整自由度を備えた手動操作要素と、メニュー構造を表現するいくつかの表示領域を含むディスプレイとを備えている。各表示領域は、項目の１つを表現する少なくとも１つのフィールドを含み、少なくとも１つのメニューレベルにおいて、いくつかの項目がアクティブな表示領域に配置され、このアクティブな表示領域はリストの形に構成される。本発明によれば、項目の数がリストに表示し得る最大項目数を超える場合に、リストの中で現在選択されている項目の位置を表現する少なくとも１つの追加的なフィールドをアクティブ化しかつ表示することができる。このインタフェースは自動車に用いることができる。
2007515342.tif 000002
【特許請求の範囲】
【請求項１】
複数のメニューレベルを含むメニュー構造において項目を選択及び／又はアクティブ化するための複数の調整自由度を有する手動操作手段（３）と、
前記メニュー構造を表示する複数の表示領域（２１０〜２５０）を備え、前記表示領域（２１０〜２５０）は、それぞれ、前記項目（１．１〜５．７）の１つを表示する少なくとも１つのフィールドを含むディスプレイ（２）を有し、
１つのアクティブな表示領域（２１０〜２５０）における少なくとも１つのメニューレベルにおいて、リストとして構成される第１の表示領域（２３０．１）に複数の項目（Ｅ４〜Ｅ１０）が配置される車両用の制御システム（１）において、
前記項目（Ｅ１〜Ｅ１１）の数が前記リストに表示し得る最大項目数を超える場合には、前記リストの中で現在選択されている項目（Ｅ４）の位置を表示する少なくとも１つの追加的なフィールド（２３３、２３４、２３５、２３６）をアクティブ化して表示することを特徴とする車両用の制御システム（１）。
【請求項２】
前記追加的なフィールド、あるいは前記追加的なフィールドの少なくとも１つ（２３３、２３４）が、前記リスト（２３０．１）の上部及び／又は下部に配置されることを特徴とする請求項１に記載の制御システム。
【請求項３】
前記追加的なフィールド、あるいは前記追加的なフィールドの少なくとも１つ（２３３、２３４）が水平配置の目盛りを有する目盛り領域として構成され、その目盛り領域において、現在選択されている前記項目（Ｅ４）の前記リスト内の位置が特別な画像表示によって示されることを特徴とする請求項２に記載の制御システム。
【請求項４】
前記追加的なフィールド、あるいは前記追加的なフィールドの少なくとも１つ（２３５、２３６）が、前記リスト（２３０．１）の左側及び／又は右側に配置されることを特徴とする請求項１〜３のいずれか１項に記載の制御システム。
【請求項５】
前記追加的なフィールド、あるいは前記追加的なフィールドの少なくとも１つ（２３５、２３６）が垂直配置の目盛りを有する目盛り領域として構成され、その目盛り領域において、現在選択されている前記項目（Ｅ４）の前記リスト（２３０．１）内の位置が特別な画像表示によって示されることを特徴とする請求項４に記載の制御システム。
【請求項６】
前記標識の特別な画像表示が、異なる形状、異なる色、及び／又は、異なる寸法によって実現されることを特徴とする請求項３又は５に記載の制御システム。
【発明の詳細な説明】
【技術分野】
【０００１】
本発明は、請求項１の前段部分に記載の車両用の制御システムに関する。
【背景技術】
【０００２】
現代の車両においては、マルチメディアの制御システムの使用が増大の一途を辿っている。この１つの例は、出願人が製造・販売するメルセデスベンツＳクラスのＣＯＭＡＮＤシステム（Ｃｏｃｋｐｉｔ  Ｍａｎａｇｅｍｅｎｔ  ａｎｄ  Ｄａｔａ  Ｓｙｓｔｅｍ）である。
【０００３】
特許文献１は、特に車両用のこの種の制御システムを説明している。この制御システムにおいては、２つの表示領域が、複数のメニューレベルを含むメニュー構造においてディスプレイ上に表示される。第１の表示領域は、第２の表示領域の周囲の枠として配置される。第１のメニューレベルにおいて、実行可能なアプリケーションに対応する項目で垂直及び水平に配置される項目を備えた８つのフィールドが、第１の表示領域に表示される。項目は、手動操作手段をスライド又は傾けることによって選択されるが、この手動操作手段は、第１表示領域における当該項目の位置の方向に相当する複数の調整自由度を具備している。手動操作手段を押すと、選択された項目がアクティブ化される。このアクティブ化に続いて、第２のメニューレベルにおいて、垂直に配置された複数の項目が第２の表示領域に表示される。この項目は、第１のメニューレベルにおいてアクティブ化された項目に属するものである。第２の表示領域に表示される項目は、手動操作手段を回転動作させることによって選択され、手動操作手段を押すとアクティブ化される。アクティブ化された第２表示領域及び第２メニューレベルは、手動操作手段を、第１表示領域におけるいずれかの項目の位置の方向にスライド又は傾けることによって終了される。続いて、制御システムは、第１表示領域における第１メニューレベルに戻される。
【０００４】
【特許文献１】独国特許出願公開第１９７  ５２  ０５６  Ａ１号明細書
【発明の開示】
【発明が解決しようとする課題】
【０００５】
本発明の目的は、直観的な制御を可能にし、気を取られる情報の範囲を低減する車両用の改善された制御システムを規定することにある。
【課題を解決するための手段】
【０００６】
本発明は、この目的を、請求項１の特徴を有する制御システムを利用可能にすることによって達成する。
【０００７】
従属請求項は本発明の有利な発展形態を規定する。
【０００８】
本発明は、リストとして構成される表示領域に複数の項目が配置される場合、項目の数がそのリストに表示し得る最大項目数を超える時には、そのアクティブな表示領域内の少なくとも１つのメニューレベルにおいて、そのリストの中で現在選択されている項目の位置を表示する少なくとも１つの追加的なフィールドをアクティブ化し表示することができるという考えに基づいている。
【０００９】
リスト例えばサブメニューリストにおける現在の位置を表示すると、リストの項目の数がディスプレイに表示し得る最大項目数を超える場合、特定の項目を簡単に選択することができるようになる。
【００１０】
追加的なフィールドは、例えば、リストの上部、下部、右側、及び／又は左側に配置することができる。
【００１１】
追加的なフィールドは、例えば、現在選択されている項目のリスト内の位置が特別な画像表示によって示されるような、水平配置の目盛り及び／又は垂直配置の目盛りを有する目盛り領域として構成することができる。
【００１２】
上記の特別な画像表示は、例えば、リストにおける現在の位置を、異なる形状、色及び／又は寸法で標識することによって実現することができる。
【００１３】
次に、本発明の有利な実施形態を添付の図面に基づいて以下に説明する。
【発明を実施するための最良の形態】
【００１４】
図１に示すように、車両用の制御システム１は、ディスプレイ２、手動操作手段３、中央処理ユニット４、及び、複数の車載システムを含んでいる。この複数の車載システム５は、例えば、ナビゲーションシステム、エアーコンディショニングシステム、移動電話、ビデオシステム、オーディオシステム、等であり、まとめて１つの要素として図示されている。車載システム５は信号を中央処理ユニット４に送り、中央処理ユニット４はこれらの信号からシステムの現在の状態を決定する。メニュー構造の種々のメニューレベルにおけるすべてのアプリケーション、機能、サブ機能、オプション及び／又は状況表示は、手動操作手段３によって制御される。これは、アクティブな表示領域に表示される項目を選択及び／又はアクティブ化する７つの自由度を備えている。この手動操作手段３は、図１の矢印に従って、４つの方向、すなわち、ｘの正の方向、ｘの負の方向、ｙの正の方向、又はｙの負の方向にスライドさせることができる。さらに、それは、図面の紙面に垂直なｚ軸（図示されていない）の回りに時計回り又は反時計回りの方向に回転させることができ、さらに、ｚの負の方向、すなわち紙面に対して下の方向に、押すことができる。
【００１５】
手動操作手段３を時計回りの方向に回転させると、スクリーン２上のカーソルが、ディスプレイ２に表示される項目の水平又は垂直の方向に基づいて右方向又は下向きに移動し、それを反時計回りの方向に回すと、カーソルが左方向又は上向きに移動する。図１の手動操作手段３を、上向きすなわち風防窓の方向の前方に、つまりｙの正の方向にスライドさせると、ディスプレイ２上のカーソルが上向きに動き、図１の下向きすなわちｙの負の方向の後方にスライドさせると、ディスプレイ２上のカーソルが下向きに動く。右向き、すなわちｘの正の方向にスライドさせると、ディスプレイ２上のカーソルが右向きに動き、左向き、すなわちｘの負の方向にスライドさせると、カーソルは左向きに動く。
【００１６】
ディスプレイ２に表示される項目は、手動操作手段３をスライドさせるかあるいは回転させることによって選択及び／又はアクティブ化される。軸に沿う垂直方向のスライド、すなわちｙ方向のスライドに対して冗長的に、あるいは、軸に沿う水平方向のスライド、すなわちｘ方向のスライドに対して冗長的に、手動操作手段３をｚ軸の回りに回転させることができる。又、この場合、項目を選択するためのスライドの方向は、本発明に従って、アクティブな表示領域に表示される項目の方向に合致している。選択のスライド方向に対してそれぞれ直交する方向にスライドさせると、アクティブな表示が終了される。さらに、選択された項目をアクティブ化するために、手動操作手段３を押すようにしてもよい。
【００１７】
図２に示すように、ディスプレイ２は、第１メニューレベルにおいて、垂直に配置された５つの水平の表示領域２１０〜２５０からなる基本画像構成を備えている。この基本画像構成は、メニュー構造の複数の異なるメニューレベルにわたって一定である。ディスプレイ２は、例えばアスペクト比１５：９の８インチスクリーンとして構成される。ディスプレイ２の表示領域２１０〜２５０の少なくとも１つの最初の表示領域の基本画像構成は、メニュー構造の複数の異なるメニューレベルにわたって一定である。図２においては、表示領域２１０、２２０、２４０及び２５０が、このような最初の表示領域として構成されている。
【００１８】
表示領域２１０〜２５０の少なくとも１つの２番目の表示領域の基本画像構成は、メニュー構造の複数の異なるメニューレベルにわたって、アクティブ化されるアプリケーション、機能、サブ機能、オプション及び／又は状態表示に基づいて可変である。図２においては、表示領域２３０が、このような２番目の表示領域として構成されている。この中央の表示領域２３０は、きわめて多様な方式でグラフィカルに構成することができる。
【００１９】
最初の表示領域として構成される４つの表示領域２１０、２２０、２４０及び２５０には、それぞれ、水平に配置される１つ以上の項目１．１〜５．７を表示することができる。例えば、第１メニューレベルにおける図２の表示領域２１０、２２０、２４０及び２５０は、それぞれ、異なる数の項目を含んでいる。例えば、第１表示領域２１０は項目１．１を含み、第２表示領域２２０は５つの項目２．１〜２．５を含み、第４表示領域は項目を含まず、第５表示領域は７つの項目５．１〜５．７を含んでいる。図２においては、第１表示領域２１０がアクティブ化されて、斜線を付した項目１．１が選択されている。斜線表示はカーソルが項目１．１に置かれていることを示すように意図されている。
【００２０】
ディスプレイ２に表示される表示領域２１０〜２５０の項目１．１〜５．７は、それらの内容の重要性又は使用頻度に従って配置することができる。項目が垂直方向に配置される場合は、項目１．１〜５．７を表示する個々のフィールドの幅は、例えば、一番長い項目の長さによって決定される。フィールドの幅は、追加的に又は代替的に表示領域におけるフィールドの数によって定めることができる。
【００２１】
図３は、第４表示領域２４０の項目４．３をアクティブ化することによって第３表示領域２３０に開かれた表示領域２３０．１を示す。表示領域２３０．１は、図３の例においては１１個の項目を有するリストを含んでおり、その内の項目Ｅ４〜Ｅ１０が表現されている。又、そのリストは、例えばサブメニューリストとして構成されている。矢印２３１は、サブメニューリストの中に選択し得るさらに多くの項目があることを示している。目盛り領域として構成される追加的なフィールド２３３〜２３６は、サブメニューリスト２３０．１において現在選択されている項目Ｅ４の位置を、一連の標識バーの中で肉太に強調される標識バーによって示している。標識バーの数は、リストにおいて選択し得る項目の数に等しい。すなわち、図３の例においては、目盛り領域２３３〜２３６は、それぞれ、サブメニューリストの１１個の項目に対応する１１個の標識バーを含んでおり、その中の４番目の標識バーが、選択された第４項目Ｅ４に対応して肉太に強調されている。追加的フィールド２３３〜２３６の可能な配置を表現するために、第１の追加的フィールド２３３は、例えばサブメニューリスト２３０．１の上部に配置され、第２の追加的フィールド２３４はサブメニューリスト２３０．１の下部に配置され、第３の追加的フィールド２３５はサブメニューリスト２３０．１の左側に配置され、第４の追加的フィールド２３６はサブメニューリスト２３０．１の右側に配置されている。
【００２２】
当然のことながら、本発明の代替的実施形態においては、４つの追加的フィールド２３３〜２３６よりも少ないフィールドを表示することも可能である。例えば、水平のリストが表示される場合には、２つの追加的フィールド２３３及び２３４の１つだけ又はその両方を水平リストの上部及び／又は下部に表示することができ、あるいは、リストが垂直の場合には、追加的フィールド２３５及び２３６の２つ又はこのフィールドの１つだけを垂直リストの左側及び／又は右側に表示する。リストにおいて選択された項目の位置を表示する上記の技法は、いかなる所望のメニューレベル及び表示領域においても適用することができる。
【００２３】
本発明に従って、リストの中で現在選択されている項目の位置を表示する追加的なフィールドを表示することによって、リストの項目の数がディスプレイに表示し得る最大項目数を超える場合においても、特定の項目を簡単に選択することができるようになる。その結果、ユーザの認識負荷が低減し、ユーザは道路上の事柄にさらに集中することができる。
【図面の簡単な説明】
【００２４】
【図１】車両用の制御システムのブロック回路図である。
【図２】図１のディスプレイの第１メニューレベルにおける概略的表現である。
【図３】図１のディスプレイにおけるサブメニューの概略的表現である。
【図１】
2007515342.tif 000003
【図２】
2007515342.tif 000004
【図３】
2007515342.tif 000005
【国際調査報告】
2007515342.tif 000006
2007515342.tif 000007
2007515342.tif 000008
2007515342.tif 000009
2007515342.tif 000010
2007515342.tif 000011